(57)【要約】【課題】コの字型に形成された分離線によってコの字型の内側領域と外側領域とに分離可能なシートにおいて、コの字型の２つの角部のいずれを分離開始端として分離線によって内側領域と外側領域とに分離していった場合でも分離部分が分離線から逸れにくくする。【解決手段】コの字型に形成された分離線によってコの字型の内側領域１１と外側領域１２とに分離可能な構成において、分離線は、コの字型の２つの角部４０ａ，４０ｂを介した３つの直線部３１〜３３のうち、２つの角部４０ａ，４０ｂに挟まれた直線部３１が、カット部３１ａとタイ部３１ｂとが交互に連続してなり、カット部３１ａの両端部が、コの字型の内側領域１１に向いている。【選択図】図１
2013059905.tif 000002
【特許請求の範囲】
【請求項１】
コの字型に形成された分離線によって前記コの字型の内側領域と外側領域とに分離可能なシートであって、
前記分離線は、前記コの字型の２つの角部を介した３つの直線部のうち、前記２つの角部に挟まれた直線部が、カット部とタイ部とが交互に連続してなり、
前記カット部の両端部が、前記コの字型の内側領域に向いているシート。
【請求項２】
請求項１に記載のシートにおいて、
前記コの字型が開口した側にて前記内側領域及び前記外側領域に折り畳み可能に連接した折り畳み片部を有し、
前記折り畳み片部は、前記内側領域及び前記外側領域に対して折り畳まれた状態にて前記内側領域と前記外側領域とが前記分離線によって分離された場合に、前記内側領域のみが見開かれるような貼着構造によって前記内側領域及び前記外側領域のうち少なくとも前記外側領域と貼着されているシート。
【発明の詳細な説明】
【技術分野】
【０００１】
本発明は、分離線によって複数の領域に分離可能なシートに関する。
【背景技術】
【０００２】
従来より、ダイレクトメール等といった郵送等によって送付される送付物においては、差出人が受取人に通知したい情報が文字や画像として所定の用紙に印字されており、そのほとんどが、封筒等の袋に封入、封緘され、袋体として受取人に送付されている。
【０００３】
また、近年においては、１枚のシートを折り畳んで見開き可能に貼着することにより、封書形態としたものが流通している。このようなものとしては、剥離可能な粘着剤を用いることで見開き可能な構造となっているものや、周縁部のみを貼着するとともに、周縁部に沿う領域にミシン目を形成しておき、このミシン目を破断することで見開き可能な構造となっているもの等がある。
【０００４】
このうち、周縁部のみを貼着するとともに、周縁部に沿う領域にミシン目を形成しておき、このミシン目を破断することで見開き可能な構造となっているものにおいては、シート上にコの字型に形成されたミシン目のカット部の一方の端部をコの字型の内側に向かせることによって、コの字型の２つの角部のうち一方の角部を見開き開始端としてミシン目を破断していった際に破断部分がミシン目から逸れにくくすることができる（例えば、特許文献１参照）。
【先行技術文献】
【特許文献】
【０００５】
【特許文献１】実開平７−３９０６７号公報
【発明の概要】
【発明が解決しようとする課題】
【０００６】
しかしながら、上述したように、シート上にコの字型に形成されたミシン目のカット部の一方の端部をコの字型の内側に向かせることによって、コの字型の２つの角部のうち一方の角部を見開き開始端としてミシン目を破断していった際に破断部分がミシン目から逸れにくくするものにおいては、コの字型の２つの角部のうち一方の角部を見開き開始端としてミシン目を破断していった場合に破断部分がミシン目から逸れにくいものの、コの字型の２つの角部のうち他方の角部を見開き開始端としてミシン目を破断していった場合に破断部分がミシン目から逸れてしまう虞れがある。上述したようなシートにおいては、見開き開始端が明確に記載されていなかったり、取り扱うユーザによっては見開き開始端を気にせず開封する者がいたりして、コの字型の２つの角部のうち見開き開始端ではない角部からミシン目を破断していく可能性が高く、上記問題が生じてしまう。
【０００７】
本発明は、上述したような従来の技術が有する問題点に鑑みてなされたものであって、コの字型に形成された分離線によってコの字型の内側領域と外側領域とに分離可能なシートにおいて、コの字型の２つの角部のいずれを分離開始端として分離線によって内側領域と外側領域とに分離していった場合でも分離部分が分離線から逸れにくくすることができるシートを提供することを目的とする。
【課題を解決するための手段】
【０００８】
上記目的を達成するために本発明は、
コの字型に形成された分離線によって前記コの字型の内側領域と外側領域とに分離可能なシートであって、
前記分離線は、前記コの字型の２つの角部を介した３つの直線部のうち、前記２つの角部に挟まれた直線部が、カット部とタイ部とが交互に連続してなり、
前記カット部の両端部が、前記コの字型の内側領域に向いている。
【０００９】
上記のように構成された本発明においては、分離線のコの字型の角部を分離開始端としてコの字型の内側領域を捲り上げるようにして内側領域と外側領域とに分離しようとすると、分離線のタイ部が破断していきカット部が繋がることによって分離していくが、その際、シートが分離する力は、コの字型の内側領域の方向に向かって加わるため、タイ部においては、カット部の両端部のうち分離開始端とは反対側の端部からコの字型の内側領域の方向に破断する力が働く。ところが、そのカット部に分離開始端とは反対側に隣接するカット部の両端部がコの字型の内側領域に向いているため、タイ部がコの字型の内側領域の方向に大きく裂けてしまう前にカット部どうしが繋がり、分離線によって内側領域と外側領域とに分離されることになる。ここで、上述したように、コの字型の２つの角部に挟まれた直線部のカット部の両端部が、コの字型の内側領域に向いているので、コの字型の２つの角部のいずれを分離開始端として分離線によって内側領域と外側領域とに分離していった場合でも、上記作用が生じて破断部分が分離線から逸れにくくなる。
【００１０】
また、コの字型が開口した側にて内側領域及び外側領域に折り畳み可能に連接した折り畳み片部を有し、折り畳み片部が、内側領域及び外側領域に対して折り畳まれた状態にて内側領域と外側領域とが分離線によって分離された場合に、内側領域のみが見開かれるような貼着構造によって内側領域及び外側領域のうち少なくとも外側領域と貼着されている構成とすれば、このシートを送付体として利用することで、内側領域に掲載された情報を送付途中においては外部から視認不可能な状態として送付先に通知することができる。
【発明の効果】
【００１１】
以上説明したように本発明においては、分離線のコの字型の２つの角部に挟まれた直線部のカット部の両端部が、コの字型の内側領域に向いているため、コの字型の２つの角部のいずれを分離開始端として分離線によって内側領域と外側領域とに分離していった場合でも、タイ部がコの字型の内側領域の方向に大きく裂けてしまう前にカット部どうしが繋がり、破断部分が分離線から逸れにくくすることができる。
【００１２】
また、コの字型が開口した側にて内側領域及び外側領域に折り畳み可能に連接した折り畳み片部を有し、折り畳み片部が、内側領域及び外側領域に対して折り畳まれた状態にて内側領域と外側領域とが分離線によって分離された場合に、内側領域のみが見開かれるような貼着構造によって内側領域及び外側領域のうち少なくとも外側領域と貼着されている構成としたものにおいては、このシートを送付体として利用することで、内側領域に掲載された情報を送付途中においては外部から視認不可能な状態として送付先に通知することができる。
【図面の簡単な説明】
【００１３】
【図１】本発明のシートの実施の一形態を示す図であり、（ａ）はシートを用いた送付体を見開いた図、（ｂ）は（ａ）に示した２つの紙片部を折り畳んだ状態を示す図、（ｃ）は（ｂ）に示したＡ−Ａ’断面図、（ｄ）は（ａ）に示した直線部の詳細な構成を示す図、（ｅ）は（ａ）に示した直線部の詳細な構成を示す図、（ｆ）は（ａ）に示した直線部の詳細な構成を示す図である。
【図２】図１に示した送付体の見開き方法の一例を説明するための図である。
【図３】図１に示した送付体が図２に示すように見開かれていく際の直線部の状態を示す図である。
【図４】図１に示した送付体の見開き方法の他の例を説明するための図である。
【図５】図１に示した送付体が図４に示すように見開かれていく際の直線部の状態を示す図である。
【図６】本発明のシートの他の実施の形態を示す図であり、（ａ）は全体の構成を示す図、（ｂ）は（ａ）に示した直線部の詳細な構成を示す図、（ｃ）は（ａ）に示した直線部の詳細な構成を示す図である。
【発明を実施するための形態】
【００１４】
以下に、本発明の実施の形態について図面を参照して説明する。
【００１５】
図１は、本発明のシートの実施の一形態を示す図であり、（ａ）はシートを用いた送付体を見開いた図、（ｂ）は（ａ）に示した２つの紙片部１０ａ，１０ｂを折り畳んだ状態を示す図、（ｃ）は（ｂ）に示したＡ−Ａ’断面図、（ｄ）は（ａ）に示した直線部３１の詳細な構成を示す図、（ｅ）は（ａ）に示した直線部３２の詳細な構成を示す図、（ｆ）は（ａ）に示した直線部３３の詳細な構成を示す図である。
【００１６】
本形態は図１（ａ）に示すように、互いに同一形状を有する２つの紙片部１０ａ，１０ｂが折り部２０を介して折り畳み可能に連接して構成された送付体１であって、紙片部１０ｂが本発明の折り畳み片部となる。
【００１７】
紙片部１０ａは、角部４０ａ，４０ｂを介した３つの直線部３１〜３３からなる分離線によって、内側領域１１と外側領域１２とに分離可能に構成されている。３つの直線部３１〜３３は、直線部３１が２つの角部４０ａ，４０ｂに挟まれるようにコの字型に設けられている。そして、内側領域１１がコの字型の内側の領域となり、外側領域１２がコの字型の外側の領域となっている。これにより、紙片部１０ｂが、３つの直線部３１〜３３からなるコの字型が開口した側にて内側領域１１及び外側領域１２に折り畳み可能に連接していることになる。
【００１８】
直線部３１は図１（ｄ）に示すように、カット部３１ａとタイ部３１ｂとが交互に連続してなり、カット部３１ａの両端部が内側領域１１に斜めに向いている。
【００１９】
直線部３２は図１（ｅ）に示すように、カット部３２ａとタイ部３２ｂとが交互に連続してなり、カット部３２ａの角部４０ａ側の端部が内側領域１１に斜めに向いている。
【００２０】
直線部３３は図１（ｆ）に示すように、カット部３３ａとタイ部３３ｂとが交互に連続してなり、カット部３３ａの角部４０ｂ側の端部が内側領域１１に斜めに向いている。
【００２１】
角部４０ａ，４０ｂには、丸みを帯びたカット部が設けられている。
【００２２】
このように構成された送付体１は図１（ｂ），（ｃ）に示すように、折り部２０にて折り畳まれて二種類の貼着剤５０ａ，５０ｂによって貼着されている。貼着剤５０ａは、例えば感圧接着剤等の貼着後の剥離が可能となるものであって、紙片部１０ａのうち内側領域１１がこの貼着剤５０ａによって紙片部１０ｂに剥離可能に貼着されている。貼着剤５０ｂは、貼着後の剥離が困難なものであって、紙片部１０ａのうち外側領域１２がこの貼着剤５０ｂによって紙片部１０ｂに剥離困難に貼着されている。なお、貼着後の剥離困難とは、２つの紙片部１０ａ，１０ｂを人間の手によって剥離した場合に、紙片部１０ａ，１０ｂ自体が裂かれたり厚み方向に分割されたりする程度に強接着されていることである。このような貼着剤５０ｂとしては、外側領域１２と紙片部１０ｂとを剥離困難に貼着するものであれば、所定の粘着剤や接着剤等、いかなるものであっても構わない。
【００２３】
以下に、上記のように構成された送付体１における作用について説明する。
【００２４】
図１に示した送付体１を見開く場合は、２つの角部４０ａ，４０ｂのいずれか一方を分離開始端として内側領域１１を捲るようにして紙片部１０ｂから剥離していく。
【００２５】
図２は、図１に示した送付体１の見開き方法の一例を説明するための図であり、図３は、図１に示した送付体１が図２に示すように見開かれていく際の直線部３１の状態を示す図である。
【００２６】
図２（ａ）に示すように、角部４０ａを分離開始端として内側領域１１を捲るようにして紙片部１０ｂから剥離していくと、直線部３１〜３３のそれぞれにおいて、タイ部３１ｂ，３２ｂ，３３ｂが破断することによってカット部３１ａ，３２ａ，３３ａが繋がり、紙片部１０ａが内側領域１１と外側領域１２とに分離していくとともに、内側領域１１が紙片部１０ｂから剥離していく。なお、内側領域１１は、貼着後の剥離が可能な貼着剤５０ａによって紙片部１０ｂに貼着されているため、外側領域１２から分離することによって紙片部１０ｂから剥離して見開くことができる。
【００２７】
この際、直線部３１においては、図３（ａ）に示すように、タイ部３１ｂが分離する力が、カット部３１ａの角部４０ａとは反対側の端部から内側領域１１側に斜めに向いたＡ方向に向かう。
【００２８】
そして、図３（ｂ）に示すように、タイ部３１ｂはＡ方向に破断していく。
【００２９】
ところが、タイ部３１ｂの破断のきっかけとなったカット部３１ａに角部４０ａとは反対側に隣接するカット部３１ａにおいては、角部４０ａ側の端部が内側領域１１に斜めに向いているため、図３（ｃ）に示すように、タイ部３１ｂが内側領域１１の方向に大きく裂けてしまう前にこれら２つのカット部３１ａが繋がり、直線部３１において全てのカット部３１ａどうしが繋がっていく。
【００３０】
また、直線部３２，３３においては、上述したように、カット部３２ａ，３３ａの角部４０ａ，４０ｂ側の端部が内側領域１１に斜めに向いていることにより、タイ部３２ｂ，３３ｂが内側領域１１の方向に大きく裂けてしまう前にカット部３２ａ，３３ａどうしが繋がっていくが、この構成及び作用については一般的なものであるためその説明は省略する。
【００３１】
このようにして、直線部３１〜３３のそれぞれにおいて、全てのカット部３１ａ，３２ａ，３３ａどうしが繋がり、図２（ｂ）に示すように、紙片部１０ａが内側領域１１と外側領域１２とに分離して内側領域１１が紙片部１０ｂから剥離して見開かれた状態となる。
【００３２】
図４は、図１に示した送付体１の見開き方法の他の例を説明するための図であり、図５は、図１に示した送付体１が図４に示すように見開かれていく際の直線部３１の状態を示す図である。
【００３３】
図４（ａ）に示すように、角部４０ｂを分離開始端として内側領域１１を捲るようにして紙片部１０ｂから剥離していくと、直線部３１〜３３のそれぞれにおいて、タイ部３１ｂ，３２ｂ，３３ｂが破断することによってカット部３１ａ，３２ａ，３３ａが繋がり、紙片部１０ａが内側領域１１と外側領域１２とに分離していくとともに、内側領域１１が紙片部１０ｂから剥離していく。なお、内側領域１１は、貼着後の剥離が可能な貼着剤５０ａによって紙片部１０ｂに貼着されているため、外側領域１２から分離することによって紙片部１０ｂから剥離して見開くことができる。
【００３４】
この際、直線部３１においては、図５（ａ）に示すように、タイ部３１ｂが分離する力が、カット部３１ａの角部４０ｂとは反対側の端部から内側領域１１側に斜めに向いたＡ方向に向かう。
【００３５】
そして、図５（ｂ）に示すように、タイ部３１ｂはＡ方向に破断していく。
【００３６】
ところが、タイ部３１ｂの破断のきっかけとなったカット部３１ａに角部４０ｂとは反対側に隣接するカット部３１ａにおいては、角部４０ｂ側の端部が内側領域１１に斜めに向いているため、図５（ｃ）に示すように、タイ部３１ｂが内側領域１１の方向に大きく裂けてしまう前にこれら２つのカット部３１ａが繋がり、直線部３１において全てのカット部３１ａどうしが繋がっていく。
【００３７】
また、直線部３２，３３においては、上述したように、カット部３２ａ，３３ａの角部４０ａ，４０ｂ側の端部が内側領域１１に斜めに向いていることにより、タイ部３２ｂ，３３ｂが内側領域１１の方向に大きく裂けてしまう前にカット部３２ａ，３３ａどうしが繋がっていくが、この構成及び作用については一般的なものであるためその説明は省略する。
【００３８】
このようにして、直線部３１〜３３のそれぞれにおいて、全てのカット部３１ａ，３２ａ，３３ａどうしが繋がり、図４（ｂ）に示すように、紙片部１０ａが内側領域１１と外側領域１２とに分離して内側領域１１が紙片部１０ｂから剥離して見開かれた状態となる。
【００３９】
上述したように、コの字型からなる分離線を構成する３つの直線部３１〜３３のうち、コの字型の２つの角部４０ａ，４０ｂに挟まれた直線部３１のカット部３１ａの両端部が、コの字型の内側領域１１に向いているので、２つの角部４０ａ，４０ｂのいずれを分離開始端として紙片部１０ａを分離線によって内側領域１１と外側領域１２とに分離していった場合でも、直線部３１のタイ部３１ｂが内側領域１１の方向に大きく裂けてしまう前にカット部３１ａどうしが繋がり、破断部分が分離線から逸れにくくなる。
【００４０】
また、内側領域１１に掲載された情報を送付途中においては外部から視認不可能な状態として送付先に通知することができる。
【００４１】
なお、本形態においては、内側領域１１が貼着剤５０ａによって紙片部１０ｂに剥離可能に貼着されているが、外側領域１２が貼着剤５０ｂによって紙片部１０ｂに貼着されていれば、内側領域１１は紙片部１０ｂに貼着されていなくてもよい。このように、紙片部１０ｂは、内側領域１１及び外側領域１２に対して折り畳まれた状態にて内側領域１１と外側領域１２とが３つの直線部３１〜３３によって分離された場合に、内側領域１１のみが見開かれるような貼着構造によって内側領域１１及び外側領域１２のうち少なくとも外側領域１２と貼着されていることになる。
【００４２】
（他の実施の形態）
図６は、本発明のシートの他の実施の形態を示す図であり、（ａ）は全体の構成を示す図、（ｂ）は（ａ）に示した直線部１３１の詳細な構成を示す図、（ｃ）は（ａ）に示した直線部１３２，１３３の詳細な構成を示す図である。
【００４３】
本形態は図６（ａ）に示すように、角部１４０ａ，１４０ｂを介した３つの直線部１３１〜１３３からなる分離線によって、内側領域１１１と外側領域１１２とに分離可能に構成されている。３つの直線部１３１〜１３３は、直線部１３１が２つの角部１４０ａ，１４０ｂに挟まれるようにコの字型に設けられている。そして、内側領域１１１がコの字型の内側の領域となり、外側領域１１２がコの字型の外側の領域となっている。
【００４４】
直線部１３１は図６（ｂ）に示すように、カット部１３１ａとタイ部１３１ｂとが交互に連続してなり、カット部１３１ａの両端部が内側領域１１１に斜めに向いている。
【００４５】
直線部１３２，１３３は図６（ｃ）に示すように、直線状のカット部１３２ａとタイ部１３２ｂとが交互に連続して構成されている。
【００４６】
角部１４０ａ，１４０ｂには、丸みを帯びたカット部が設けられている。
【００４７】
上記のように構成されたシート１０１においても、角部１４０ａ，１４０ｂから内側領域１１１と外側領域１１２とを分離していくことになるが、図１に示したものと同様に、コの字型からなる分離線を構成する３つの直線部１３１〜１３３のうち、コの字型の２つの角部１４０ａ，１４０ｂに挟まれた直線部１３１のカット部１３１ａの両端部が、コの字型の内側領域１１１に向いているので、２つの角部１４０ａ，１４０ｂのいずれを分離開始端として内側領域１１１と外側領域１１２とに分離していった場合でも、直線部１３１のタイ部１３１ｂが内側領域１１１の方向に大きく裂けてしまう前にカット部１３１ａどうしが繋がり、破断部分が分離線から逸れにくくなる。
【００４８】
なお、上述した実施の形態においては、２つの角部４０ａ，４０ｂ，１４０ａ，１４０ｂに挟まれた直線部３１，１３１のカット部３１ａ，１３１ａが、その両端部が内側領域１１，１１１に斜めに向いているものを例に挙げて説明したが、カット部３１ａ，１３１ａの構成としては、両端部が内側領域１１，１１１に向かって略垂直に折れ曲がっているものや、カット部３１ａ，１３１ａの全体が丸みを帯びて外側領域１２，１１２側に凸状となったものであってもよい。
【００４９】
また、図１に示した直線部３２，３３及び図６に示した直線部１３２，１３３においては、カット部３２ａ，３３ａ，１３２ａ，１３３ａの形状はこれらに限らず、内側領域１１，１１１と外側領域１２，１１２が分離可能なものであればよい。
【符号の説明】
【００５０】
１    送付体
１０ａ，１０ｂ    紙片部
１１，１１１    内側領域
１２，１１２    外側領域
２０    折り部
３１〜３３，１３１〜１３３    直線部
３１ａ，３２ａ，３３ａ，１３１ａ，１３２ａ    カット部
３１ｂ，３２ｂ，３３ｂ，１３１ｂ，１３２ｂ    タイ部
４０ａ，４０ｂ，１４０ａ，１４０ｂ    角部
５０ａ，５０ｂ    貼着剤
１０１    シート
【図１】
2013059905.tif 000003
【図２】
2013059905.tif 000004
【図３】
2013059905.tif 000005
【図４】
2013059905.tif 000006
【図５】
2013059905.tif 000007
【図６】
2013059905.tif 000008